(57)【特許請求の範囲】
【請求項１】
ハウジング内に着脱されるカードに係合され、このカードの挿入及び排出方向にスライド移動可能なスライド部材と、このスライド部材を前記カードの排出方向へ付勢する復帰ばねと、この復帰ばねの付勢力に抗して前記スライド部材をカードが挿着された位置に保持するロック部材と、待機位置と押し込み位置との間を移動可能に配設され、押圧操作によって前記ロック部材のロックを解除して、前記スライド部材をカードの排出位置まで移動させるプッシュロッドとを備え、前記ハウジングには、前記スライド部材と前記ロック部材との係合離脱に伴って動作され、前記ロック部材と係合することによりカードが挿着位置に保持されたことを検出するスイッチ部材を設けたことを特徴とするカード用コネクタ装置。
【請求項２】
前記ロック部材は、前記ハウジングに回動可能に支持されると共に、前記ロック部材を前記スライド部材と係合する方向へ付勢する付勢部材を備え、前記プッシュロッドには、前記スライド部材がカードの挿着位置に移動するまで、前記ロック部材を前記付勢部材の付勢力に抗して前記スライド部材と離脱する位置に保持する保持突部を設けると共に、前記スライド部材がカードの挿着位置に移動した時には、前記ロック部材を前記スライド部材と係合する位置に移動させる凹溝部とを設けたことを特徴とする請求項１記載のカード用コネクタ装置。
【請求項３】
前記プッシュロッドには、前記スライド部材と当接する係合片部を設け、前記スライド部材がカードの挿着位置に移動した時、前記係合片部が押圧されることにより、前記保持突部を前記ロック部材から離脱するようにしたことを特徴とする請求項２記載のカード用コネクタ装置。
【請求項４】
前記ロック部材には、回動することにより前記スライド部材と係合離脱するロック片と、このロック片とともに回動することにより前記スイッチ部材を動作するスイッチ操作片とを一体に形成したことを特徴とする請求項１乃至３の何れかに記載のカード用コネクタ装置。
【発明の詳細な説明】
【０００１】
【発明の属する技術分野】
本発明は、パーソナルコンピュータなどの記憶媒体などに用いられるＩＣカードや、デジタルカメラなどの電子機器などに使用されるＣＦ（コンパクトフラッシュ）カードなどに使用される、カード用コネクタ装置の構造に関する。
【０００２】
【従来の技術】
パーソナルコンピュータの増設記録装置としてＩＣカード用コネクタが一般的に使用されている。このＩＣカード用コネクタの記憶媒体としてはＩＣカードが広く使用されるようになってきている。
【０００３】
このＩＣカードをＩＣカード用コネクタに挿着して必要な情報の読み出し、及び書き込みを行うが、このＩＣカードを挿着する場合に、ＩＣカードに対して読み出し、及び書き込みを的確に行うために、ＩＣカードが挿着位置にロックされたことを検出した後、データの読み出し、及び書き込みを行うようにしたものがある。
【０００４】
この従来のＩＣカードのロック検出機構としては、ＩＣカードを搬送するスライド部材と、このスライド部材をＩＣカードの挿着位置に保持させるロック部材と、このロック部材のロックを解除するプッシュロッドと、このロック部材が解除された場合にはスライド部材を排出方向へ付勢するばね部材とを備えたハウジング内に、検出スイッチを設け、ＩＣカードがハウジング内に挿入されて挿着位置にロックされた時、挿着されたＩＣカードによって検出スイッチが押されることによってＩＣカードが挿着位置にロックされたことを検出する構成のものが知られている。
【０００５】
【発明が解決しようとする課題】
しかしながら、上述した従来のＩＣカード用コネクタ装置の構造においては、ＩＣカードのロック検出を、ＩＣカードによって検出スイッチを押圧することで行っているが、この構成では、検出スイッチがオン／オフする位置と、ＩＣカードのロックする位置との調整が難しく、検出スイッチがオンしたにもかかわらず、ＩＣカードがまだロックされていない状態や、ＩＣカードがロックしたにもかかわらず、まだ検出スイッチがオンしていない状態が発生することとなり、このためにＩＣカードに対して読み出しや書き込みを的確に行うことができないという問題があった。
【０００６】
したがって、本発明では上述した問題点を解決し、カードのロック検出機構を備えたカード用コネクタ装置の構造で、新たに部品点数を増加することなく、簡易な構造で、カードがロックされたことを確実に検出することができるカード用コネクタ装置を提供することを目的とする。
【０００７】
【課題を解決するための手段】
上記課題を解決するために本発明では第１の手段として、ハウジング内に着脱されるカードに係合され、このカードの挿入及び排出方向にスライド移動可能なスライド部材と、このスライド部材を前記カードの排出方向へ付勢する復帰ばねと、この復帰ばねの付勢力に抗して前記スライド部材をカードが挿着された位置に保持するロック部材と、待機位置と押し込み位置との間を移動可能に配設され、押圧操作によって前記ロック部材のロックを解除して、前記スライド部材をカードの排出位置まで移動させるプッシュロッドとを備え、前記ハウジングには、前記スライド部材と前記ロック部材との係合離脱に伴って動作され、前記ロック部材と係合することによりカードが挿着位置に保持されたことを検出するスイッチ部材を設けたことを特徴とする。
【０００８】
また、第２の手段として、前記ロック部材は、前記ハウジングに回動可能に支持されると共に、前記ロック部材を前記スライド部材と係合する方向へ付勢する付勢部材を備え、前記プッシュロッドには、前記スライド部材がカードの挿着位置に移動するまで、前記ロック部材を前記付勢部材の付勢力に抗して前記スライド部材と離脱する位置に保持する保持突部を設けると共に、前記スライド部材がカードの挿着位置に移動した時には、前記ロック部材を前記スライド部材と係合する位置に移動させる凹溝部とを設けたことを特徴とする。
【０００９】
また、第３の手段として、前記プッシュロッドには、前記スライド部材と当接する係合片部を設け、前記スライド部材がカードの挿着位置に移動した時、前記係合片部が押圧されることにより、前記保持突部を前記ロック部材から離脱するようにしたことを特徴とする。
【００１０】
また、第４の手段として、前記ロック部材には、回動することにより前記スライド部材と係合離脱するロック片と、このロック片とともに回動することにより前記スイッチ部材を動作するスイッチ操作片とを一体に形成したことを特徴とする。
【００１１】
【発明の実施の形態】
以下、本発明の１実施例を図１乃至図２０に示す。図１は本発明のカード用コネクタ装置を示す平面図、図２は同じくカバーを外した状態の平面図、図３はロック部材の平面図、図４は同じく側面図、図５はプッシュロッドの平面図、図６は同じく側面図、図７はスイッチ部材の平面図、図８は同じく側面図、図９はスイッチ部材がオフ状態の説明図、図１０はスイッチ部材がオン状態の説明図、図１１はプッシュロッドとスライド部材の初期状態の関係図、図１２は同じく係合状態の関係図である。
【００１２】
図において、ハウジング１は、合成樹脂などの絶縁材で略方形に形成されており、このハウジング１には、内部に後述するカード４が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。
また、前記ハウジング１の周面部には後述するカバー９を係合する係合爪部１ｂが複数個設けられている。
【００１３】
前記ハウジング１の一端側には、前記収納部１ａに連設して、イジェクタ機構部が設けられており、このイジェクタ機構部に後述するスライド部材６が、復帰ばね３によって付勢されながら、スライド移動可能に配設されるものとなっている。また、イジェクタ機構部の上端側には、後述するロック部材５が回動可能に係止されており、また、右側部には後述するプッシュロッド８がスライド移動可能にガイドされたものとなっている。
また、イジェクト機構部には後述するスイッチ部材６が取り付けられている。
【００１４】
カード４は、内部に集積回路（ＩＣ）が収納されており、記録媒体として広く使用されているものである。このカード４の底面側には、その一端側に図示しない複数の接点部が形成されており、この接点部が前記ハウジング１の収納部１ａに設けられた複数の接触端子２ａと接触することにより、外部に接続された電子機器との種々の情報処理が行われるものとなっている。
また、前記カード４には、その一側部に、後述するイジェクトアーム７の第２のアーム部７ｂが係合される凹部４ａが設けられている。
【００１５】
ロック部材５は合成樹脂などの絶縁材で略Ｕ字状に形成されており、このロック部材５の基部には、前記ハウジング１に係止される一対の係止軸５ａが形成されている。また、前記基部には平行に対向して延設されたロック片５ｂと、スイッチ操作片５ｃとが形成されており、前記ロック片５ｂの先端には、後述するスライド部材６に係脱可能なフック状の係止部５ｄが形成されている。この係止部５ｄに後述するプッシュロッド８が当接することにより、前記ロック片５ｂが前記係止軸５ａを支点として回動するようになっている。
【００１６】
また、前記スイッチ操作片５ｃの先端には、後述するスイッチ部材１０の可動接点１０ａを押圧してスイッチの開閉を行う駆動部５ｅが形成されている。前記ロック片５ｂとスイッチ操作片５ｃとは、前記ロック部材５の係止軸５ａを支点として一体的に回動されるものとなっている。
この場合、前記ロック部材５の回動方向は、前記ハウジング１内に着脱される前記カード４の平坦面に直交する方向（上下方向）へ回動可能なように配設されるものとなっている。
【００１７】
前記ロック部材５に、回動することにより後述するスライド部材６と係合離脱する前記ロック片５ｂと、このロック片５ｂとともに回動することにより後述するスイッチ部材１０を動作する前記スイッチ操作片５ｃとを一体に形成したことから、スライド部材６のロック機構とスイッチ部材１０の駆動機構を一部品で形成することが可能となり、部品の削減、及び組立性の向上が図れるものとなる。
【００１８】
スライド部材６は合成樹脂などの絶縁材で形成されており、このスライド部材６の一端側には前記ロック部材５の係止部５ｄと係合される係合突部６ａを有する係合腕部６ｂが設けられている。また、この係止腕部６ｂと並設して、前記ハウジング１に係止される前記復帰ばね３の一端側が係止されるばね係止部６ｃが形成されている。このばね係止部６ｃと対向する他端側には、後述するプッシュロッド８のストッパー部８ｈと当接される幅広の平面からなるストッパー面６ｄが形成されている。
【００１９】
また、前記スライド部材６の略中央部には開口部が設けられており、この開口部の中央には、後述するイジェクトアーム７が回動可能に取り付けられている。前記スライド部材６は、前記ハウジング１内に配設され、前記復帰ばね３に付勢されながら、前記ハウジング１内を上下方向、即ち前記カード４の挿入、排出方向へ移動可能となるように取り付けられるものとなっている。
【００２０】
イジェクトアーム７は、合成樹脂などの絶縁材で略Ｕ字状に形成されており、このイジェクトアーム７には、基部から外方へ延出された、第１及び第２のアーム部７ａ、７ｂが形成されている。この第１のアーム部７ａは、前記カード４の挿入時に、前記カード４の前端部に係合されるように設けられている。また、前記第２のアーム部７ｂは、その先端部の形状が略円弧状とされており、前記カード４の一側部に形成された凹部４ａと係合され、この凹部４ａ内を回動しながら係脱されるように設けられている。
【００２１】
プッシュロッド８は、薄板状の金属板を折り曲げて形成されており、方形状の基板部８ａと、直角に折り曲げられ、この基板部８ａから一端側に薄板状に細長く延設された側板部８ｂとから形成されている。
【００２２】
前記側板部８ｂの延設された先端には、前記スライド部材６の係合腕部６ｂの先端が当接して、前記スライド部材６の移動に伴って移動される係合片部８ｃが形成されている。また、前記スライド部材６がカードの挿着位置に移動するまでの間、前記ロック部材５のロック片５ｂを、前記スライド部材６の係合突部６ａと離脱する位置に保持しておくための、凸部状からなる保持突部８ｄが形成されており、この保持突部８ｄに連続して、前記スライド部材６がカードの挿着位置に移動した時には、前記ロック片５ｂを前記係合突部６ａと係合する位置に移動させるための、凹溝状からなる凹溝部８ｅが形成されている。また、この凹溝部８ｅに連続して、傾斜面からなる解除操作部８ｆが形成されており、この解除操作部８ｆが前記ロック片５ｂの係止部５ｄに当接することにより、前記ロック片５ｂが前記係止軸５ａを支点として回動するようになっている。
【００２３】
前記プッシュロッド８に、カードの挿着位置に対応して、前記ロック部材５のロック片５ｂと係合または離脱することで、前記ロック片５ｂの回動を規制する、前記保持突部８ｄ、及び前記凹溝部８ｅを形成したことから、前記ロック部材５のロック片保持機構を別途設ける必要がなく、構成の簡略化が図れると共に、コネクタ装置の小型化及びローコスト化が可能となっている。
【００２４】
また、前記基板部８ａには、人間の指などで押圧操作される押釦８ｇが取り付けられており、この押釦８ｇの取付側とは反対側には、幅広の平面からなるストッパー部８ｈが設けられている。このストッパー部８ｈに前記スライド部材６のストッパー面６ｄが当接することで前記スライド部材６の移動が規制されるものとなっている。また、前記プッシュロッド８は、前記スライド部材６と共に前記ハウジング１に組み込まれ、前記側板部８ｂが前記ハウジング１にガイドされることで、前記ハウジング１内を移動するように配設されている。
【００２５】
カバー９は、金属性の板材から形成されており、このカバー９には平板状の上板部９ａと、この上板部９ａから直角に折り曲げられ、前記ハウジング１の係合爪部１ｂに係合される複数の図示しない係止窓部を有する横板部が形成されている。前記カバー９は、前記ハウジング１の開口部を覆うように前記ハウジング１の上面側に取り付けられるものとなっている。
また、前記カバー９の上板部９ａには、切り起こすことによりばね片９ｂが設けられており、このばね片９ｂが前記ロック部材５のロック片５ｂに当接されて、前記係止部５ｄを前記スライド部材６の係合突部６ａ側へ付勢している。
【００２６】
スイッチ部材１０は。対向して配設された一対の導電性の金属板からなる可動接点１０ａ、及び固定接点１０ｂとから形成されている。この可動接点１０ａと固定接点１０ｂは、前記ハウジング１に一端側が固着されており、他端側が自由端とされ、互いの先端部に所定の隙間が設けられた状態で配設されている。この場合、各接点間はノーマルオープン（オフ）状態となっているが、最初からノーマルクローズ（オン）状態に構成してもよい。
【００２７】
前記スイッチ部材１０は、前記スライド部材６の移動に伴って前記ロック部材５が回動されると、前記ロック部材５に設けられた前記スイッチ操作片５ｃが回動されて前記駆動部５ｅが前記可動接点１０ａを押圧することにより、前記固定接点１０ｂに接続されてスイッチがオン状態となるものとなっている。
【００２８】
次に、上述したカード用コネクタ装置の動作を図１３乃至図２０で説明する。図１３乃至図２０は、本発明のカード用コネクタ装置の挿入／排出時の動作状態を示す説明図で、図１３はハウジングにカードを挿入する初期の状態を示す説明図、図１４はカードの挿入途上の状態を示す説明図、図１５はカードの挿入途上でプッシュロッドとスライド部材が係合した状態を示す説明図、図１６はプッシュロッドが移動しプッシュロッドとロック部材の保持が外れる直前の状態を示す説明図、図１７はスライド部材がロック部材と係合してロックした状態を示す説明図、図１８はプッシュロッドを押圧してスライド部材のロックを解除した状態を示す説明図、図１９はロックが解除されたスライド部材が復帰してカードが排出途上の状態を示す説明図、図２０は同じくカードの排出途上でスライド部材の復帰によりプッシュロッドが初期位置に復帰した状態を示す説明図である。
尚、図においてはロック部材とスライド部材、及びロック部材とプッシュロッドの係合／解除の状態を分かりやすくするために部分的に側面図で示している。
【００２９】
まず、前記ハウジング１の収納部１ａに前記カード４を挿入する。この時、前記イジェクトアーム７の前記第１のアーム部７ａが前記カード４の前端部に当接し、前記第１のアーム部７ａはカードの挿入方向に押圧されることになる。（図１３）
【００３０】
この時、前記イジェクトアーム７は、前記ハウジング１の図示しないカム部によりその動きが規制されていることから、前記第１のアーム部７ａはカードの挿入方向へは回動されずに、前記スライド部材６は前記復帰ばね３の付勢力に抗してカードの挿入方向へ移動する。この時、前記イジェクトアーム７に設けられた図示しないカムピンが前記ハウジング１に設けられたカム部のカム壁に沿って移動することなり、前記イジェクトアーム７はカードの挿入方向へ規制された状態で一定距離だけ回動する。この回動により前記第２のアーム部７ｂが前記カード４の凹部４ａに係合する。（図１４）
【００３１】
この状態では、前記ロック部材５のロック片５ｂの係止部５ｄは、前記プッシュロッド８の側板部８ｂ先端の保持突部８ｄに係合されており、これに伴って、前記ロック部材５のスイッチ操作片５ｃの駆動部５ｅは、前記スイッチ部材１０の可動接点１０ａとは離間していることから、前記スイッチ部材１０はオフ状態（図９）となっている。
【００３２】
次に、前記復帰ばね３の付勢力に抗して前記カード４を挿入方向に押圧すると、前記スライド部材６はカードの挿入方向へ移動し、前記カード４の図示しない接点部は前記ハウジング１の接触端子２ａと接触される。この時、前記スライド部材６の係合腕部６ｂの先端が前記プッシュロッド８の先端の係合片部８ｃに当接された状態となっている。（図１５）
【００３３】
更に、前記カード４を挿入方向に押圧すると、前記スライド部材６はカードの挿入方向へ移動し、これと共に前記プッシュロッド８もカードの挿入方向へ移動することにより、前記ロック部材５の係止部５ｄは前記プッシュロッド８の保持突部８ｄから外れて前記凹溝部８ｅと対峙するものとなる。（図１６）
【００３４】
前記プッシュロッド８に、前記スライド部材６の係合腕部６ｂの先端が当接する前記係合片部８ｃを設けて前記スライド部材６の移動に追従させるようにしたことから、前記ロック部材５の回動の規制を的確に行うことが可能となっている。
【００３５】
更に、前記カード４を挿入方向に押圧すると、前記スライド部材６はカードの挿入方向へ移動し、前記カード４が前記ハウジング１の収納部１ａの内縁部に当接した時点で挿入が停止され、前記カード４の前記ハウジング１への挿着が完了する。これに伴い前記スライド部材６及び前記イジェクトアーム７の移動も停止される。この時、前記ロック部材５のロック片５ｂは前記カバー９に設けられたばね片９ｂによって前記スライド部材６の係合腕部６ｂ側へ付勢されていることから、前記ロック片５ｂの係止部５ｄが前記プッシュロッド８の保持突部８ｄから外れた時点で前記凹溝部８ｅ側へ回動可能となるため、前記ロック部材５は側面図で示す時計方向へ回動されるものとなる。この時、前記係合突部６ａが前記ロック部材５の前記係止部５ｄと係合することでその位置に前記スライド部材６がロックされる。（図１７）
【００３６】
この状態では、前記ロック部材５のロック片５ｂの係止部５ｄは、前記プッシュロッド８の側板部８ｂの凹溝部８ｅ内に移動するため、前記ロック部材５は側面図で示す時計方向へ回動されるものとなり、これに伴って、前記ロック部材５のスイッチ操作片５ｃの駆動部５ｅが、前記スイッチ部材１０の可動接点１０ａを押圧することから、前記可動接点１０ａと固定接点１０ｂは接続されて前記スイッチ部材１０はオン状態（図１０）となる。
【００３７】
上記構成によれば、カードの挿入に伴い、前記スライド部材６がカードの挿着位置まで移動された時、前記スライド部材６をカードの挿着位置にロックする前記ロック部材５に、前記ロック部材５のロック片５ｂの回動に伴って回動する前記スイッチ操作片５ｃを設け、このスイッチ操作片５ｃの駆動部５ｅによって前記スイッチ部材１０を動作するようにしたことから、前記ロック片５ｂが前記スライド部材６をロックした時のみ前記スイッチ部材１０が動作されるため、カードが挿着位置にロックされた状態か否かを確実に検出することが可能となっている。
【００３８】
次に、前記ハウジング１に挿着した前記カード４を排出する場合には、前記カード４の挿着状態（図１７）から、待機位置にある前記プッシュロッド８の押釦８ｇを指などで押圧して、前記プッシュロッド８をカードの挿入方向へ押し込み位置まで移動させると、前記解除操作部８ｆが前記ロック部材５の係止部５ｄを押圧することにより、前記ロック部材５のロック片５ｂが側面図に示す反時計方向へ回動され、前記ロック部材５の前記係止部５ｄが前記スライド部材６の係合突部６ａから外れた状態となる。（図１８）
【００３９】
そして、前記スライド部材６は前記復帰ばね３の付勢力によりカードの排出方向へと移動される。この時、前記プッシュロッド８の解除操作部８ｆは、金属板を折り曲げて一端側に薄板状に細長く延設された側板部８ｂに形成されていることから、前記スライド部材６の移動を妨げないように配設することが可能となっている。
【００４０】
前記スライド部材６がカードの排出方向へ移動するのに伴い、前記イジェクトアーム７はその回動が規制された状態で、前記スライド部材６と共にカードの排出方向へ移動する。そして、前記プッシュロッド８の基板部８ａには幅広の平面からなる前記ストッパー部８ｈが設けられており、押し込み位置では、このストッパー部８ｈに、カードの排出方向へ移動された前記スライド部材６の一端側に設けられた前記ストッパー面６ｄが当接することにより、確実に、前記スライド部材６の移動が停止され、前記カード４は排出位置に停止されるものとなる。この時、前記カード４の図示しない接点部と前記ハウジング１の接触端子２ａとの接触が解除される。（図１９）
【００４１】
この場合、前記カード４は、前記凹部４ａが前記第２のアーム部７ｂに係合されており、前記イジェクトアーム７はその回動が規制されていることから、前記カード４が前記ハウジング１の収納部１ａから飛び出すことを防止することができる。
【００４２】
次に、前記プッシュロッド８の押圧を解除すると、前記プッシュロッド８は図示しないコイルばねの付勢力によって初期の待機位置へと復帰する。この時、前記スライド部材６のストッパー面６ｄと、前記プッシュロッド８のストッパー部８ｈとの当接が解除され、前記スライド部材６は、カードの排出方向への移動が可能な状態となる。（図２０）
【００４３】
この状態から、指などによって前記カード４を引き出すと、前記スライド部材６は図示しないコイルばねの付勢力に抗して手前側に移動し、前記イジェクトアーム７はカードの排出方向への回動が可能な状態となる。
【００４４】
更に、前記イジェクトアーム７のカードの排出方向への回動に伴って、前記第２のアーム部７ｂは、前記カード４の前記凹部４ａとの係合が外れることとなり、前記カード４は前記ハウジング１の前記収納部１ａから排出されて、前記スライド部材６は、コイルばねの付勢力でカードの挿入方向へ移動し、初期の状態（図１３）に戻るものとなる。
【００４５】
上記の本発明の実施例によれば、ハウジング１内に着脱されるカード４に係合され、このカード４の挿入及び排出方向にスライド移動可能な前記スライド部材６と、このスライド部材６を前記カード４が挿着された位置に保持する前記ロック部材５とを設けた前記ハウジング１に、前記スライド部材６と前記ロック部材５との係合離脱に伴って動作され、前記ロック部材５と係合することによりカード４が挿着位置に保持されたことを検出する前記スイッチ部材１０を設けたことから、前記ロック部材５が前記スライド部材６をロックした時のみ前記スイッチ部材１０が動作されるため、カード４が挿着位置にロックされた状態か否かを確実に検出することが可能となっている。
【００４６】
【発明の効果】
以上説明したように、本発明のカード用コネクタは、ハウジング内に着脱されるカードに係合され、このカードの挿入及び排出方向にスライド移動可能なスライド部材と、このスライド部材をカードの排出方向へ付勢する復帰ばねと、この復帰ばねの付勢力に抗してスライド部材をカードが挿着された位置に保持するロック部材と、待機位置と押し込み位置との間を移動可能に配設され、押圧操作によってロック部材のロックを解除して、スライド部材をカードの排出位置まで移動させるプッシュロッドとを備え、ハウジングには、スライド部材とロック部材との係合離脱に伴って動作され、ロック部材と係合することによりカードが挿着位置に保持されたことを検出するスイッチ部材を設けたことから、ロック部材がスライド部材をロックした時のみスイッチ部材が動作されるため、カードが挿着位置にロックされた状態か否かを確実に検出することが可能となる。
【００４７】
また、ロック部材は、ハウジングに回動可能に支持されると共に、ロック部材をスライド部材と係合する方向へ付勢する付勢部材を備え、プッシュロッドには、スライド部材がカードの挿着位置に移動するまで、ロック部材を付勢部材の付勢力に抗してスライド部材と離脱する位置に保持する保持突部を設けると共に、スライド部材がカードの挿着位置に移動した時には、ロック部材をスライド部材と係合する位置に移動させる凹溝部とを設けたことから、カードの挿着位置に対応してロック部材の回動を規制できるため、ロック部材のロック片保持機構を別途設ける必要がなく、構成の簡略化が図れると共に、コネクタ装置の小型化及びローコスト化が可能となる。
【００４８】
また、プッシュロッドには、スライド部材と当接する係合片部を設け、スライド部材がカードの挿着位置に移動した時、係合片部が押圧されることにより、保持突部をロック部材から離脱するようにしたことから、ロック部材の回動の規制を的確に行うことが可能となる。
【００４９】
また、ロック部材には、回動することによりスライド部材と係合離脱するロック片と、このロック片とともに回動することによりスイッチ部材を動作するスイッチ操作片とを一体に形成したことから、スライド部材のロック機構とスイッチ部材の駆動機構を一部品で形成することが可能となり、部品の削減、及び組立性の向上が図れる。
【図面の簡単な説明】
【図１】本発明の１実施例であるカード用コネクタ装置を示す平面図である。
【図２】本発明の同じくカバーを外した状態のカード用コネクタ装置を示す平面図である。
【図３】本発明の同じくロック部材を示す平面図である。
【図４】本発明の同じくロック部材を示す側面図である。
【図５】本発明の同じくプッシュロッドを示す平面図である。
【図６】本発明の同じくプッシュロッドを示す側面図である。
【図７】本発明の同じくスイッチ部材を示す平面図である。
【図８】本発明の同じくスイッチ部材を示す側面図である。
【図９】本発明のスイッチ部材がオフの状態を示す説明図である。
【図１０】本発明のスイッチ部材がオンの状態を示す説明図である。
【図１１】本発明のプッシュロッドとスライド部材の初期の状態を示す関係図である。
【図１２】本発明のプッシュロッドとスライド部材が係合した状態を示す関係図である。
【図１３】本発明のハウジングにカードを挿入する初期の状態を示す説明図である。
【図１４】本発明のカードの挿入途上の状態を示す説明図である。
【図１５】本発明のカードの挿入途上でプッシュロッドとスライド部材が係合した状態を示す説明図である。
【図１６】本発明のプッシュロッドが移動しプッシュロッドとロック部材の保持が外れる直前の状態を示す説明図である。
【図１７】本発明のスライド部材がロック部材と係合してロックした状態を示す説明図である。
【図１８】本発明のプッシュロッドを押圧してスライド部材のロックを解除した状態を示す説明図である。
【図１９】本発明のロックが解除されたスライド部材が復帰してカードが排出途上の状態を示す説明図である。
【図２０】本発明の同じくカードの排出途上でスライド部材の復帰によりプッシュロッドが初期位置に復帰した状態を示す説明図である。
【符号の説明】
１  ハウジング
１ａ  収納部
１ｂ  係合爪部
２ａ  接触端子
２ｂ  接続端子
３  復帰ばね
４  カード
４ａ  凹部
５  ロック部材
５ａ  係止軸
５ｂ  ロック片
５ｃ  スイッチ操作片
５ｄ  係止部
５ｅ  駆動部
６  スライド部材
６ａ  係合突部
６ｂ  係合腕部
６ｃ  ばね係止部
６ｄ  ストッパー面
７  イジェクトアーム
７ａ  第１のアーム部
７ｂ  第２のアーム部
８  プッシュロッド
８ａ  基板部
８ｂ  側板部
８ｃ  係合片部
８ｄ  保持突部
８ｅ  凹溝部
８ｆ  解除操作部
８ｇ  押釦
８ｈ  ストッパー部
９  カバー
９ａ  上板部
９ｂ  ばね片
１０  スイッチ部材
１０ａ  可動接点
１０ｂ  固定接点
【図１】
0003683784.tif 000002
【図２】
0003683784.tif 000003
【図３】
0003683784.tif 000004
【図４】
0003683784.tif 000005
【図５】
0003683784.tif 000006
【図６】
0003683784.tif 000007
【図７】
0003683784.tif 000008
【図８】
0003683784.tif 000009
【図９】
0003683784.tif 000010
【図１０】
0003683784.tif 000011
【図１１】
0003683784.tif 000012
【図１２】
0003683784.tif 000013
【図１３】
0003683784.tif 000014
【図１４】
0003683784.tif 000015
【図１５】
0003683784.tif 000016
【図１６】
0003683784.tif 000017
【図１７】
0003683784.tif 000018
【図１８】
0003683784.tif 000019
【図１９】
0003683784.tif 000020
【図２０】
0003683784.tif 000021